(57)【特許請求の範囲】
【請求項１】
対象建造物に対しその横断面の一部乃至全部が円形状の外壁周面の一部に対応して鉛直方向に沿って設けられた複数の支柱と腕木及び横材との組合せによってなる組枠体が前記円形状の外壁周面に沿って水平移動可能に構成されると共に、この組枠体はその頂端部にて前記対象建造物上に揺動可能に支持された桁材を介して前記対象建築物と連結され、この組枠体上の各階層位置の前記した腕木及び横材によってなる支持構成部から前記対象建造物の外壁周面の近傍位置にまで略水平状態でその至端部が及ぶ跳ね出し足場がそれぞれ設けられ、それら各跳ね出し足場のうちの一部乃至全部が前記桁材からの懸垂支持部材によりそれぞれ支持されてなることを特徴とする移動式作業足場の組枠構成体。
【請求項２】
対象建造物の横断面の一部乃至全部が円形状であってその円形状の径が上方に従って縮小傾向となっている上部部分を有する外壁周面からなり、この外壁周面の上部部分に対応した位置の跳ね出し足場を懸垂支持部材により支持してなることを特徴とする請求項１に記載の移動式作業足場の組枠構成体。
【請求項３】
桁材が対象建造物上に直接支持された通し桁材とこの通し桁材の側面部に連結固定された補助桁材とからなることを特徴とする請求項１又は２に記載の移動式作業足場の組枠構成体。
【請求項４】
組枠体が、地盤面上に敷設された軌道上を移動できる移動台車上に設けられていることを特徴とする請求項１、２又は３に記載の移動式作業足場の組枠構成体。
【請求項５】
軌道が単一のレールからなることを特徴とする請求項４に記載の移動式作業足場の組枠構成体。
【請求項６】
水平状態で設けられた桁材が、対象建造物の頂上部上に支持回転軸を介して設置された基枠上にこの桁材の至端近傍部を支持する横移動用支持ローラを水平方向に沿って回転自在に備えると共に、この横移動用支持ローラ上に支持されたこの桁材の両側面部にそれぞれ面する状態で鉛直方向に沿って回転自在の振れ止めローラの２つ以上を対向させて離間して設けてなる回転支持装置上に支持されてなることを特徴とする請求項１、２、３、４又は５に記載の移動式作業足場の組枠構成体。
【発明の詳細な説明】
【０００１】
【発明の属する技術分野】
本発明は、特に、横断面の一部乃至全部が円形状の外壁周面からなる建造物に対して、その外壁周面に各種の加工作業を効率的に行うのに適した移動式作業足場の組枠構成体の新規な構成に関する。
【０００２】
【従来の技術】
建築現場等においては、建造物の外壁自体についての構築の際や、その外壁周面に対する塗装を含む処理の作業を行う場合に、その作業を迅速かつ安全に行うためにその外壁面に沿って作業足場が設置されるのが一般的である。従来、この作業足場は、最近では鋼管のパイプ等からなる主柱と腕木及び横材を鉛直方向に沿って相互に連結することによって組み立てた枠組足場が一般的である。この枠組足場の大規模なものはその安定化を図るため、対象建造物の外壁の前面に渡って設けられまた地盤面上に直接設置されるものがほとんどである。また、この枠組足場について下部にキャスター等の移動機能部を備えるものも存在するが、小規模の足場に限られているのが現状である。
【０００３】
また、最近、貯水場の施設、ガスタンクの施設、原子力発電所の施設等の建造物について耐久性等の見地から、例えば、外壁面が曲面状や球面状の建造物が多く建造されているが、このような曲面状、球面状の外壁に対する作業足場についても上記同様の構成の枠組足場に加えて跳ね出し足場を対象建造物の全周面に渡って設けた構成が採用されてきた。
【０００４】
【発明が解決しようとする課題】
上記した従来の作業足場の構成においては、前記したように、対象建造物に対してその外壁周面全体に渡り設置される構成であるから、地盤面上に直接設置されることが多く、そのために多数の枠部材が必要となるのに加えて、その組み立て及び解体、撤去の作業に多大な労力と長い時間が必要である等の欠点があった。このような欠点は、対象建造物が曲面状や球面状の外壁からなるものである場合には一層大きくなる。
【０００５】
また、前記したように、従来の移動機能部を備える足場装置は大規模な枠組足場構成に不適当であるのに加え、それをそのまま曲面状や球面状の外壁の建造物に簡易的に適用することは困難である。
【０００６】
そこで、本発明では、上記した従来の作業足場の構成における諸欠点を解消し、極めて少ない数の組枠部材により、作業足場としての設置及び解体、撤去が容易かつ迅速に行うことが可能であり、しかも、十分安定的に設置が可能で安全に作業を行うことができ、さらに、球面状等の外壁周面を有する建造物に対する作業に特に適した作業足場の組枠構成体を提供することを目的とした。
【０００７】
【課題を解決する手段】
上記した目的を達成するため、本発明では、移動式作業足場の組枠構成体につき、次のように構成した。即ち、対象建造物に対しその横断面の一部乃至全部が円形状の外壁周面の一部に対応して鉛直方向に沿って設けられた複数の支柱と腕木及び横材との組合せによってなる組枠体が前記円形状の外壁周面に沿って水平移動可能に構成されると共に、この組枠体はその頂端部にて前記対象建造物上に揺動可能に支持された桁材を介して前記対象建築物と連結され、この組枠体上の各階層位置の前記した腕木及び横材によってなる支持構成部から前記対象建造物の外壁周面の近傍位置にまで略水平状態でその至端部が及ぶ跳ね出し足場がそれぞれ設けられ、それら各跳ね出し足場のうちの一部乃至全部が前記桁材からの懸垂支持部材によりそれぞれ支持されてなることを特徴とする。
【０００８】
この移動式作業足場の組枠構成体における組枠体は、常法に従って、鋼管や木材等の真直材からなる支柱、腕木及び横材を既存の接続金具等によって連結することにより対象建造物の外壁面に沿って鉛直方向に組み立てることにより形成できる。この場合、この組枠体は対象建造物の外壁面の一部に対応したものであれば足りる。例えば、４本乃至１０本の支柱の組により、好ましくは移動をさせることが容易でかつ安定的に構成できる点からは４本〜８本の支柱の組によりこの組枠体を構成することである。また、この組枠体にはその補強のために適宜筋交を設けることができる。これによって、組枠材の必要点数を極めて少なくすることができると共に、これにより作業足場全体の設置や解体、撤去を簡単かつ迅速に行うことが可能となる。
【０００９】
このように構成される組枠体はそれを形成する腕木及び横材によりその各階層位置に支持構成部をそれぞれ備える。この支持構成部は、例えば、腕木と横材とを交叉状に配し、この交叉点を連結金具によって留め付けることにより矩形状の稜線部に位置するように形成される。
【００１０】
これらの支持構成部からは前記したようにそれぞれ跳ね出し足場が対象建造物の球面状外壁面部の近傍位置にまで略水平状態でその至端部が及ぶように設けられていることから、その対面している対象建造物の外壁周面部分に対する作業が可能となる。なお、これらの跳ね出し足場に対してはその補強のために適宜枝束を前記した組枠体との間に渡設しておくことができる。
【００１１】
このように各跳ね出し足場を伴う組枠体は、前記したように、その頂端部にて対象建造物上に一端部が支持された桁材を介して連結されている。これによりこの組枠体はその鉛直方向に沿った立設状態の安定が確保される。また、この桁材はその一端部が組枠体の頂端部上にありまたその他の一端部が対象建造物上で揺動自在に支持されていることから、この桁材の存在は前記組枠体の水平移動に際して障害とはならず、却ってこの組枠体の水平移動の際の状態を安定化させるように作用する。
【００１２】
この桁材は対象建造物の外周壁面の断面円形状の半径をやや超える長さを有し、前記組枠体の水平移動に際しては動径として機能する。従って、その対象建造物上での支持位置はその動径としての中心位置となる。なお、この位置は対象建造物の中心位置であることはかならずしも必要とはされない。つまり、加工対象とする外周壁面部に対する動径の中心位置となっていれば足りる。これは常に建造物の外周壁面全体が加工対象となっているわけではないからである。
【００１３】
前記した各跳ね出し足場の一部乃至全部に対しては桁材からの懸垂支持部材によって支持した構成とすることができる。これにより、跳ね出し足場の安定を図ることができる。この懸垂支持構成は一部の跳ね出し足場に対するのみで十分な場合がある。この跳ね出し足場の長さが短いとき等下方からの前記した枝束等による支持構成で十分な場合があるからである。この懸垂支持部材としては比較的に小さい直径の鋼製パイプ等の剛性部材であってもよいが、取扱いや長さ調整等作業が容易なチェーンやワイヤーなどであることが好ましい。
【００１４】
また、この懸垂支持部材の桁材上及び各跳ね出し足場に対する接合構成については何ら制限はないが、この懸垂支持部材としてのチェーンやワイヤーなどを単に捲回状に係合させるようにしてもよい。この接合によればその懸架構成や解体、撤去が簡易かつ迅速に行うことができるので好ましい。また、このような懸架構成によれば、特にこれらの跳ね出し足場の構成部分について、例えば、おやごパイプを継手パイプ等によって連結した支持部構成など簡易的な構成によることができ、また、この跳ね出し足場を下方から支える枝束の構成部についても比較的に簡易な構成を採用することが可能となる。
【００１５】
前記した桁材が上記した対象建造物上に一端部が支持される通し桁材とこの通し桁材の側面部に一端部が連結固定された補助桁材とからなる場合には、この桁材全体を強固に形成できると共に、前記組枠体と対象建造物との間の連結構成を強化できると共に、前記跳ね出し足場に対して桁材からの懸垂支持部材が設けられる場合には、それらの跳ね出し足場に対する懸架位置の範囲を拡大することが可能となる。なお、上記した補助桁材は前記通し桁材の一側部あるいは両側部に設けることができ、この補助桁材の他端部は通し桁材と同様に前記組枠体の頂端部上にあるように構成することができる。
【００１６】
また、本発明において対象とする建造物にはその外壁周面の一部乃至全体が円筒状の曲壁面からなるものをも含むが、特に、対象建造物の横断面の一部乃至全部が円形状であってその円形状の径が上方に従って縮小傾向となっている上部部分を有する外壁周面からなる場合には、この対象建造物の上部部分に対応する位置の跳ね出し足場に対する前記した懸垂支持部材による支持構成はそれらの跳ね出し足場の安定にとって有効である。このような建造物に対してはその上部部分に対応する跳ね出し足場の長さが上方に従ってより長いものとなって前記組枠体全体の立設状態が不安定となるからである。また、その横断面が円形状の径が上方に従って縮小傾向となっている外壁周面の上部部分についての領域には懸垂支持部材との間に障害となるものが存在せず、その特定の跳ね出し足場に対する懸垂支持が可能である。
【００１７】
従って、この特定の跳ね出し足場に応ずる対象建造物の外壁周面部の上部部分を形成する形態としては、完全な球形状やタマゴ形のほか、円錐形状等の尖塔状、さらにはその外面が上方に向って任意の曲壁状あるいは階段状となっているものも含まれる。つまり、これらの場合には、この特定の跳ね出し足場に対しては桁材からの懸垂支持部材による懸垂支持において対象建造物の外壁面部分が前記組枠体の水平移動に際しても何ら障害とはならないからである。従って、これらの特定の跳ね出し足場に対してはそれぞれ一端部が桁材上に支持された各懸垂支持部材によって懸架状態とすることが可能となる。
【００１８】
また、前記した組枠体の前記対象建造物の横断面の円形状の外壁周面に沿って水平移動を可能とする構成は、その組枠体の下部に例えば車輪を備えた架台を設けただけの構成であってもよいが、この組枠体が、地盤面上に敷設された軌道上を移動できる移動台車上に設けられた構成とすることができる。この構成によれば、この移動台車に伴った組枠体の移動範囲がこの軌道に従うことから、この組枠体の移動動作を迅速にしかもその移動位置をより安定かつ正確なものとすることが可能となる。
【００１９】
また、さらに、上記した移動台車が単一軌道上を移動できるように構成することもできる。この軌道構成による場合、その軌道の地盤上への敷設時に誤差が生じてもそれに容易に対応させることが可能である。つまり、前記したように、組枠体はその上端部が揺動可能な桁材を介して対象建造物上に連結されているから、組枠体の移動位置はこの桁材によっても規制される。このため、上記した軌道が並列的な２つ以上からなるものである場合にその軌道の敷設位置に誤差が生じたとき、前記した移動台車上の車輪についてその荷重が一方の軌道上にのみ偏ってしまうおそれがあり、この場合には組枠体について安定が図れなくなるからである。この軌道位置についての誤差の発生は一時的、簡易的に構成されるべきものであるという作業足場の性格から、上記した単一軌道による構成は、組枠体の安定上及びその移動がスムーズに実行できるという操作上の点において当該作業足場に係わる構成として適している。
【００２０】
また、前記した桁材についての対象建造物上での揺動可能な連結構成としては、この桁材端部に対する対象建造物上での単純な軸支構成によることもできるが、この連結構成として、本発明では次のような特別な構成をによることもできる。即ち、水平状態で設けられた桁材が、対象建造物の頂上部上に支持回転軸を介して設置された基枠上にこの桁材の至端近傍部を支持する横移動用支持ローラを水平方向に沿って回転自在に備えると共に、この横移動用支持ローラ上に支持されたこの桁材の両側面部にそれぞれ面する状態で鉛直方向に沿って回転自在の振れ止めローラの２つ以上を対向させて離間して設けてなる回転支持装置上に支持されてなることを特徴とする構成である。
【００２１】
上記した連結構成において、前記桁材の至端近傍部は上記した基枠上にあってこの基枠を支持する支持回転軸により前記桁材の揺動動作が確保される。この揺動動作は例えば前記したような移動台車がその軌道に従って対象建造物の外壁周面に沿って水平移動するのに伴うもので、この際に移動台車上の組枠体の立設状態を安定的に支持している。
【００２２】
また、この移動動作に際して、この桁材の至端近傍部は、前記横移動用支持ローラ上に支持されていて、この桁材がその長さ方向に移動することを可能とする。従って、前記したような軌道の敷設位置の誤差による前記組枠体の変位に対しても安定的に順応させることが可能である。
【００２３】
また、前記各振れ止めローラは、この桁材がその長さ方向に移動する際の接触抵抗の発生を解消し、その動作をスムーズなものとする。この結果、この桁材の揺動動作を安定的かつ安全に実行させることが可能となる。また、これらの各振れ止めローラの離間距離は、桁材の断面厚さ以上であれば足りるが、さらにこの桁材の両側面側に合わせて例えば１０mm〜２５mmの余裕の間隔を設けることもできる。このような余裕の間隔は前記桁材の揺動動作に際し、この回転支持装置に対して緩衝作用を発揮する。従って、前記組枠体の移動に際してこの桁材に過大な作用力が及ぶときでも、当該回転支持装置ひいては対象建造物上には障害が生ずることはない。
【００２４】
なお、これらの各振れ止めローラは、前記桁材の長さ方向に沿ってその両側面部位置に並列的に２つずつ配設必要がある。つまり、前記桁材の揺動動作が前記基枠の回転動作に追従できるようにするためである。これによってその桁材の容易かつ迅速な揺動動作が確保される。また、対応する各振れ止めローラ間の間隔は桁材の横幅に合致した距離であってもよいが、上記した揺動動作に際して緩衝作用を発揮させるため、その両側に余裕幅だけさらに離間させたものであってもよい。この各振れ止めローラ間の余裕の離間距離は利用する桁材の幅や形状によっても異なる。
【００２５】
【発明の実施の態様】
本発明に係る移動式作業足場の組枠構成体について、その実施の態様を示した図に従って説明する。図１及び図２には、この実施の態様としての移動式作業足場の組枠構成体１を示した。
【００２６】
この組枠構成体１は、対象建造物ａの有する球面状の外壁面の一部分に対応して鉛直方向に沿って形成された組枠体２を備える。この組枠体２は、鋼製の支柱パイプ３…の６本を並列的に配しさらにこれらを鉛直方向に沿って対象建造物ａ頂上部を越える高さにまでそれぞれ連結し、これらの連結部を横材４と腕木５により固定することによって構成したものであり、補強のためその側面部にそれぞれ筋交７が設けられている。
【００２７】
この組枠体２は軌道レール１５上を移動する移動台車１０上に載設され、また、その頂端部には至端部が対象建造物ａの頂上部ｃに配設された回転支持装置３５上に支持された通し桁材３１の一端部が固定されている。
【００２８】
なお、図中、ｂは対象建造物ａの基底部であり、その部分は地盤１７中に設けられている。また、軌道レール１５は地盤１７面上に対象建造物ａの外周壁面に沿って設けられたもので単一の軌道からなる。また、通し桁材３１はその中間位置の両側面部上にそれぞれ一端部が固定され他端部が組枠体２の頂端部上に固定された補助桁材３２、３３によって補強されている。また、回転支持装置３５は対象建造物ａの頂上部ｃにて支持桁４８、４８を介した架台フレーム３４上に支持された状態で設置されている。また、４９は頂上部ｃ付近に設けられた作業用通路、５０はこの通路４９に連継して設けられブラケット５１に囲まれたステージである。
【００２９】
また、組枠体２にはその対応する横材４、４と腕木５、５の組によってなる各階層位置の支持構成部からそれぞれ跳ね出し足場２１…がその至端部が対象建造物の外周壁面に対し近傍位置にまで及ぶように設けられている。なお、９は跳ね出し足場２１を下方から支持するように設けられた枝束である。また、これらの跳ね出し足場２１は、後記するようにおやごパイプ２２、渡しパイプ２５、足場板２６等によって形成されている。
【００３０】
また、これらの跳ね出し足場２１…のうち対象建造物ａの球面状外壁周面の上部部分に対応する特定の跳ね出し足場２１…に対しては上端部が通し桁材３１あるいは補助桁材３２上に係合された懸垂支持用の吊りチェーン２７…によりそれぞれ懸架状態で支持されている。
【００３１】
移動台車１０は、図３及びず４に示すように、真直の梁材からなる主台部１１の下部に車輪１３、１３をそれぞれ軸受部１２上に備え、その上部には座桁１４…がそれぞれ一定の間隔で主台部１１に対して直交して設けられてなる。また、この移動台車１０が移動する軌道レール１５は地盤１７面上に配置された枕木１６…上に設けられている。
【００３２】
また、この移動台車１０に対して、組枠体２についてその最下端に位置する各支柱パイプ３…はそれぞれその対応する位置の座桁１４の端部近傍部上に座金８を介して固設されている。これにより組枠体２の全体は移動台車１０上にて鉛直方向に沿った状態で立設され、これにより移動台車１０の移動に伴って移動される。なお、上記した座金８上には対応する筋交７の一端部も固定されている。
【００３３】
また、組枠体２の中間部について、図５に示すように、対応する各支柱パイプ３、３の端部間それぞれ継手金具６によって相互に連結されるが、前記した支持構成部を形成する鋼製のパイプからなる横材４、４と腕木５、５もそれぞれその対応する継手金具６によって固定的に接合されている。また、これらの各継手金具６上には対応する筋交７の端部がそれぞれ固定されている。また、この横材４、４間に渡っては足場板２０…がその両端部に有するフック部を介して設けられている。
【００３４】
また、跳ね出し足場２１は、対象建造物ａに面する側の横材４上に２本のおやごパイプ２２の一端部を留め金２３によって結合して、さらに、これにおやごパイプ２２を継ぎ手パイプ２４により固定することによってそれぞれ並列的に延設し、これらの間に跨がってパイプ２５を渡し、この渡しパイプ２５と前記横材４との間に渡り足場板２６、２６を設けることによってなる。また、跳ね出し足場２１を懸架する吊りチェーン２７、２７は、上記渡しパイプ２５の両端近傍部をそれぞれ支持するように構成されている。
【００３５】
また、前記したように、各吊りチェーン２７の一端部はそれぞれ通し桁材３１あるいは補助桁材３２上に結合されているが、図６に示すように、さらに下部に位置する支持構成部に対応する特定の跳ね出し足場２１…に対しては、それらの対応する渡しパイプ２５あるいはおやごパイプ２２間に他の吊りチェーン２７…を渡すことによりそれぞれ懸架することもできる。このような吊りチェーン２７…による懸垂支持構成により、各跳ね出し足場２１を比較的に長く延設した状態で水平に維持できると共に、組枠体２の立設状態及びその水平移動時の状態を安定化させることが可能となる。これにより、特に球面状等横断面が円形状の径が上方に従って縮小傾向となっている上部部分を有する外周面からなる建造物に対する作業に適した構成が簡易的かつ安定的に得られる。
【００３６】
また、図７には、組枠体２の頂端部分の構成を示す。この頂端部分では、この組枠体２の最上位に位置する各支柱パイプ３…のそれぞれの上端部にヘッドスピンドル２８を設け、これらのスピンドルヘッド２８上に渡って受桁３０、３０を並列的に固定し、これらの受桁３０、３０上に跨がった状態で通し桁材３１及び補助桁材３２、３３のそれぞれの一端部を固定的に載設することによってなる。なお、図示するように、この組枠体２内には、その各支持構成部位置に横材４、４間に渡した足場板２０…を設け、またこの足場板２０の配設部分に対し手摺り部１８及び下位の階層位置からの階段１９を適宜設けておくこともできる。
【００３７】
このように構成される組枠構成体１において、組枠体２はその頂端部が通し桁材３１等の桁材を介して対象建造物ａ上に支持された状態で移動台車１０により軌道レール１５上を対象建造物ａの外周壁面に沿って移動される。この際、この組枠体２の各跳ね出し足場２１は、その至端部が常にその建造物ａの対応する外周壁面部に対して近傍部に位置するように維持される。これにより、組枠体２乃至その各跳ね出し足場２１をその建造物ａの処理が必要とされる外壁周面全体に及ばせることができ、その全体に亘る作業環境を確保することができる。
【００３８】
また、この組枠構成体１は、上記したように簡易的な構成でしかもそれに必要とされる構成部材の点数についても従来の作業足場の構成に比して極く少なくて済むことから、その設置、解体及び撤去が容易かつ迅速に行うことが可能であり、またより経済的に利用できる利点がある。
【００３９】
次に、前記した通し桁材３１の至端部を支持する回転支持装置３５の構成を図８、図９及び図１０に示した。この回転支持装置３５は、その下部に支持回転軸３７を設けまた横移動用支持ローラ４１及び振れ止めローラ４５…を内部に装備する基枠部３６を備える。この基枠部３６はその支持回転軸３７が軸受３８、３９を介してその軸周りに回転できるように支持されており、この軸受３８、３９上にはその側部に支持板部４０が固定されてなる。従って、この基枠部３６はその支持回転軸３７が鉛直方向にあるようにこの支持板部４０を介して架台フレーム３４、３４上に固定的に支持されている。
【００４０】
また、横移動用支持ローラ４１は水平支軸４２周りに回転自在に支持され、またこの横移動用支持ローラ４１上には通し桁材３１の端部近傍部が上載状態で支持されている。従って、通し桁材３１は横移動用支持ローラ４１の回転に従ってその上載状態のままその長さ方向に沿ってその支持位置が変位する。
【００４１】
また、横移動用支持ローラ４１に対して上方に位置して基枠部３６上の相対向して支持アーム４４、４４が設けられており、これらの各支持アーム４４端には支持されている通し桁材３１の長さ方向に沿って離れた位置に２つを一対として振れ止めローラ４５、４５をそれぞれ回転自在に備えている。これらの支持アーム４４、４４間の対応する振れ止めローラ４５、４５はそれぞれ通し桁材３１のウェブ厚に応じてその横振れに対して余裕のある間隔で離間している。この余裕の離間距離としては、そのウェブ厚に応じて、例えば、このウェブの両側の合計値として１０mm〜２５mmの範囲が好ましく採用される。
【００４２】
このような支持アーム４４、４４における構成によれば、揺動状態にある通し桁材３１の端部近傍部のウェブ部をいずれかの振れ止めローラ４５によって受け止めることができ、これにより基枠部３６について支持回転軸３７回りの回転動作が支障なく得られる。この結果、通し桁材３１等の桁材についてスムーズな揺動動作が得られる。また、この際、前記した振れ止めローラ４５、４５間の離間はこの受け止め状態に間隔的に余裕を与えて、通し桁材３１に加わるおそれがある過度の負荷がこの回転支持装置３５に直接及ぶのを回避できる。また、各振れ止めローラ４５の回転自在構成は、前記した横移動用支持ローラ４１上で通し桁材３１が移動する際のこの通し桁材３１と基枠体３６との間の接触抵抗による負荷が作用するのを効果的に解消すことができる。
【００４３】
【発明の効果】
上述したように本発明は構成されることから、次のような効果が発揮される。
【００４４】
先ず、本発明に係る移動式作業足場の組枠構成体によれば、その組枠体は対象建造物の外壁周面に対してその鉛直方向に沿った一部のみ対応してのみ設けられる構成により、作業足場としての構成部材の点数は極めて少なくて済むこと、及びその設置や解体、撤去の迅速化も図ることが可能となる点からも極めて経済的に利用することが可能となる。
【００４５】
また、この組枠構成体は対象建造物の横断面が円形状の外壁周面部に沿って水平移動できる構成であることから、この組枠構成体の全体を所定の作業位置にまで随時移動させることができる。これにより作業を短時間で済ませることができる。この場合、特に、その移動が一定の軌道上にある状態で実行されるときは、組枠体上の各跳ね出し足場の至端部が常に対象建造物の外壁周面に対し近傍の位置にあるように維持することができる。また、さらに、この軌道が単一である場合には、その軌道の設定位置に誤差が生じたときにも、その誤差による影響に安全に対応させることができるから、その軌道の敷設位置についてあまり厳格さが要求されない。この点で簡易的な構成にとって適している。
【００４６】
また、組枠体は揺動自在な桁材を介して対象建造物上に連結されている構成から、その移動に際しても安定的な立設状態が確保される。特に、この桁材が前記したように通し桁材と補助桁材とからなる場合には、桁材全体を強化できると共に、前記組枠体に対する連結構成ををより安定的なものとすることができる。
【００４７】
上記した組枠体の水平移動可能構成、この組枠体に対する桁材による連結構成と相まって、この組枠体の階層位置に設けた跳ね出し足場に対する懸垂支持部材による支持構成は、本発明に係る作業足場の組枠構成体についてその安定化に有効に適応し得るものであり、特に、球面状等の外壁面からなる建造物に対する作業足場としてその有効性は大きい。
【００４８】
また、この桁材についての前記した回転支持装置による場合には、その有する横移動用支持ローラによって桁材の長さ方向への変位に対して、その有する各振れ止めローラの離間構成さらには桁材の側面との間に余裕の間隔の存在と相まって、より安全に対応することができると共に、これにより組枠構成体の移動をスムーズなものとすることができる。
【図面の簡単な説明】
【図１】本発明に係る移動式作業足場の組枠構成体の正面図
【図２】同の部分平面図
【図３】同の移動台車部分の平面図
【図４】同の移動台車部分の左側面図
【図５】同の跳ね出し足場部分の斜視図
【図６】同の部分縦断面図
【図７】同の組枠体部分の左側面図
【図８】同の回転支持装置の一部縦断面左側面図
【図９】同の回転支持装置の正面図
【図１０】同の破断面平面図
【符号の説明】
ａ対象建造物
１組枠構成体
２組枠体
３支柱パイプ
４横材
５腕木
１０移動台車
１５軌道レール
１７地盤
２１跳ね出し足場
２７吊りチェーン
３１通し桁材
３２，３３補助桁材
３５回転支持装置
３７支持回転軸
４１横移動用支持ローラ
４５振れ止めローラ
【図１】
0004038275.tif 000002
【図２】
0004038275.tif 000003
【図３】
0004038275.tif 000004
【図４】
0004038275.tif 000005
【図５】
0004038275.tif 000006
【図６】
0004038275.tif 000007
【図７】
0004038275.tif 000008
【図８】
0004038275.tif 000009
【図９】
0004038275.tif 000010
【図１０】
0004038275.tif 000011